(57)【特許請求の範囲】
【請求項１】
シリンダ錠を備え、このシリンダ錠の前側の鍔部と、外周面に螺合されるナットとの間に、コの字形の固定金具が差し込まれている錠装置であって、上記のナットの外周面に溝が軸方向に延びて形成され、この溝に係合してナットの回転を防止するストッパーが、ボディのシリンダ錠収納孔の内周面に設けられ、上記の溝が、ナットの外周面の反対位置に夫々形成され、上記の固定金具のネジ孔を有する連結部が、脚片に対し直角状に、且つシリンダ錠の軸方向に延びて形成され、ボディの外面に開口する貫通孔のストッパー挿入口が上記の連結部で閉塞されていることを特徴とする錠装置。
【請求項２】
請求項１記載の錠装置であって、ストッパーがピン状に形成されると共に、ボディの外面からシリンダ錠収納孔に貫通する貫通孔に外部から圧入されて設けられていることを特徴とする錠装置。
【発明の詳細な説明】
【０００１】
【発明の属する技術分野】
本発明は、自動販売機等に取り付けて使用する錠装置に関し、更に詳しくは振動や衝撃等を受けても、シリンダ錠を緩ませることなく、堅固且つ確実にシリンダ錠の固定状態を維持できるよう形成した錠装置に関するものである。
【０００２】
【従来の技術】
自動販売機等に用いるこの種の錠装置は、扉の開け閉め時に大きな振動や衝撃を受け易い。又自動販売機内の金銭が窃盗の対象になり易いため、不正開錠者によってシリンダ錠は、強制的に回されることがある。
従ってこの種の錠装置は、振動等や乱暴な取り扱いを受けても、シリンダ錠の取付状態を長期間にわたって確実且つ堅固に維持できるよう形成されているのが望ましい。
【０００３】
そこで従来この種の錠装置としては、シリンダ錠を備え、このシリンダ錠の前側の鍔部と、外周面に螺合させるナットとの間に、コの字形の固定金具を差し込み、この固定金具によってシリンダ錠が振動等で回転することがないよう形成したものがある（例えば特開平９−２３５９２４号公報等参照）。
【０００４】
【発明が解決しようとする課題】
しかしながら従来品は、上記の通り、ナットと鍔部との間に差し込むコの字形の固定金具でシリンダ錠の回転を防止しているだけであったから、従来品の場合はナットが振動や衝撃で緩むことを避けられなかった。
従って従来品を使用すると、ナットが緩む結果、シリンダ錠が軸方向に位置ずれし、ボディの前側に出て来る、という問題点があった。
【０００５】
而してこの種の問題を解決するため、シリンダ錠の固定構造を複雑化すると、部品数が多くなり、コストが増加するだけではなく、組み立てに手間暇がかかり、製造効率が悪くなる。
【０００６】
本発明は、このような従来の実状に鑑み、提案されたものである。
従って本発明の技術的課題は、シリンダ錠を備える錠装置において、振動等から生じるシリンダ錠の緩みを、簡単な構造で且つ低コストで防止できるよう形成した錠装置を提供することにある。
【０００７】
【課題を解決するための手段】
本発明は、上記の課題を解決するために、次のような技術的手段を採る。
【０００８】
即ち本発明は、図１等に示されるように、シリンダ錠１を備え、このシリンダ錠１の前側の鍔部１ｃと、外周面に螺合されるナット１１との間に、コの字形の固定金具１２が差し込まれている錠装置であって、上記のナット１１の外周面に溝１１ａが軸方向に延びて形成され、この溝１１ａに係合してナット１１の回転を防止するストッパー１３が、ボディ１４のシリンダ錠収納孔１４ａの内周面に設けられ、上記の溝１１ａが、ナット１１の外周面の反対位置に夫々形成され、上記の固定金具１２のネジ孔１２ｂを有する連結部１２ｃが、脚片１２ａに対し直角状に、且つシリンダ錠１の軸方向に延びて形成され、ボディ１４の外面に開口する貫通孔１５のストッパー挿入口１５ａが上記の連結部１２ｃで閉塞されていることを特徴とする（請求項１）。
【０００９】
本発明の錠装置としては、例えばシリンダ錠１の開錠操作で回動可能になるハンドル４を備えて形成されるハンドル錠装置や、シリンダ錠１と共にチェーンを備え、シリンダ錠１の開錠操作でチェーンの基端を解放させ、これにより扉を開閉できるよう形成されているチェーン錠装置等がある。
本発明の場合は、溝１１ａが、ナット１１の外周面の反対位置に夫々形成されているから、溝１１ａとストッパー１３との位置合わせが容易になり、組み立て作業が楽になる。
又本発明によると、貫通孔１５に水やゴミが入ることを、ストッパー１３の取り付けによって簡単且つ低コストで防止できる。
【００１０】
本発明の場合、ストッパー１３は、ピン状に形成されると共に、ボディ１４の外面からシリンダ錠収納孔１４ａに貫通する貫通孔１５に外部から圧入されて設けられているのが好ましい（請求項２）。
【００１１】
なぜならこれによると、シリンダ錠収納孔１４ａの内周面を凸段差状に研削加工してストッパー１３を形成する場合（図７参照）に比べ、ストッパー１３の加工に係る手間隙を軽減できるからである。
【００１２】
【発明の実施の形態】
以下、本発明の好適な一実施形態を添付図面に従って説明する。
【００１３】
この実施形態の本発明品は、図１等に示されるように、シリンダ錠１を備え、このシリンダ錠１のロータ１ａをキー２で回転操作すると、ロータ１ａの後端の第一レバー３が回転し、カム部３ａの作用でハンドル４を回動操作できるよう形成されている。具体的には、第一レバー３が回転すると、例えば自動販売機の本体部５との係合が解かれると共に、第一レバー３と共に回転するカム部３ａが、横軸６を中心にラッチ７の爪部７ａを下降回動させる。これによりハンドル４の爪４ａの係止状態が解かれ、ハンドル４はスプリング８の作用で上方に跳ね上がる。このハンドル４を回すことで第二レバー９が回転し、本体部５との係止状態が完全に解かれ、その結果扉の開閉が可能になるものである。なお１０は、シリンダ錠１の後端が差し込まれて係合されるシャフトである。
【００１４】
１１は、シリンダ錠１の外周面の雄ネジ１ｂに螺合されるナットである。このナット１１は、その外周面に溝１１ａが軸方向に延びて形成されている。この溝１１ａは、この実施形態では断面凹形に形成され、ナット１１の外周面の反対位置に夫々形成されている。
【００１５】
又１２は、シリンダ錠１の前側の鍔部１ｃと、ナット１１との間に差し込まれるコの字形の固定金具である。この固定金具１２は、シリンダ錠１の両側の平面部１ｄに脚片１２ａが係合される。又この固定金具１２のネジ孔１２ｂを有する連結部１２ｃは、脚片１２ａに対し直角に曲げられてシリンダ錠１の軸方向に延びて形成されている。
【００１６】
１３は、溝１１ａに係合してナット１１の回転を防止するストッパーである。このストッパー１３は、ボディ１４のシリンダ錠収納孔１４ａの内周面に設けられている。この実施形態の場合、このストッパー１３は、ピン状に形成され、ボディ１４の外面からシリンダ錠収納孔１４ａに貫通する貫通孔１５に外部から圧入されることで形成されている。貫通孔１５のストッパー挿入口１５ａは、固定金具１２がボディ１４に止めネジ１６で取り付けられることにより、固定金具１２の連結部１２ｃで閉塞される。
【００１７】
次に本発明品の組立て例や作用について説明する。
【００１８】
作業者は、先ずピン状のストッパー１３を、その先端がシリンダ錠収納孔１４ａ内に僅かに露出するよう貫通孔１５に圧入する。次にシリンダ錠１を収納孔１４ａに差し込み、シリンダ錠１の雄ネジ１ｂに螺合させたナット１１の溝１１ａをストッパー１３に係合させる。その後、ボディ１４の下方から固定金具１２を差し込み、脚片１２ａをシリンダ錠１の外周面の平面部１ｄに係合させる。又止めネジ１６をネジ孔１２ｂに差し込み、固定金具１２をボディ１４に固定する。
【００１９】
シリンダ錠１は、固定金具１２の脚片１２ａで回転が防止される。又ナット１１は、溝１１ａがストッパー１３に係合しているため、回転が防止される。従って本発明品の場合は、ナット１１が緩んでシリンダ錠１がボディ１４の前側に抜け出て来ることがない。
【００２０】
以上の処において、ストッパー１３は、図７に示されるように、シリンダ錠収納孔１４ａの内周面が、凸段差状に研削加工されることで形成されるのでも良い。又本発明の場合、溝１１ａの断面形状は、任意である。
【００２１】
【発明の効果】
以上説明したように本発明は、ナットの外周面に溝を軸方向に延びて形成し、この溝に係合してナットの回転を防止するストッパーを、ボディのシリンダ錠収納孔の内周面に設けているものである。
【００２２】
従ってこれによれば、シリンダ錠を備える錠装置において、振動等から生じるシリンダ錠の緩みを、簡単な構造で且つ低コストで防止できる。
【図面の簡単な説明】
【図１】本発明品の好適な一実施形態を示す要部分解斜視図である。
【図２】同上品の要部縦断面図である。
【図３】同上品の分解側面図である。
【図４】図３のIV―IV線における要部断面図である。
【図５】同上品の要部斜視図である。
【図６】同上品の要部分解斜視図である。
【図７】ストッパーの他の実施形態を示す要部断面図である。
【符号の説明】
１    シリンダ錠
１ｃ  鍔部
２    キー
３    第一レバー
４    ハンドル
５    自動販売機の本体部
６    横軸
７    ラッチ
８    スプリング
９    第二レバー
１０  シャフト
１１  ナット
１１ａ  溝
１２  固定金具
１３  ストッパー
１４  ボディ
１４ａ  シリンダ錠収納孔
１５  貫通孔
１６  止めネジ
【図１】
0003919081.tif 000002
【図２】
0003919081.tif 000003
【図３】
0003919081.tif 000004
【図４】
0003919081.tif 000005
【図５】
0003919081.tif 000006
【図６】
0003919081.tif 000007
【図７】
0003919081.tif 000008